(57)【要約】【課題】長手方向に裂けない農業用マルチフィルムを提供すること。【解決手段】長手方向に沿って所定幅の苗定植列状領域を有する長尺状のマルチフィルム１において、該苗定植列状領域１０の一部又は全部にミシン目１１を有し、且つ該ミシン目１１は幅方向に向って延びており、且つ該フィルム１の長手方向に不連続に複数本並設されていることを特徴とする農業用マルチフィルム。【選択図】        図２
2006094784.tif 000002
【特許請求の範囲】
【請求項１】
長手方向に沿って所定幅の苗定植列状領域を有する長尺状のマルチフィルムにおいて、
該苗定植列状領域の一部又は全部にミシン目を有し、且つ該ミシン目は幅方向に向って延びており、且つ該フィルムの長手方向に不連続に複数本並設されていることを特徴とする農業用マルチフィルム。
【請求項２】
ミシン目の形状は、直線状、傾斜線、弧状、馬蹄状又は鳴門巻き状であることを特徴とする請求項１記載の農業用マルチフィルム。
【請求項３】
複数のミシン目の各々の端部が、長手方向に沿って直線状に配置されることを特徴とする請求項１又は２記載の農業用マルチフィルム。
【請求項４】
長手方向に沿って所定幅の苗定植列状領域を有する長尺状のマルチフィルムにおいて、
該苗定植列状領域の一部又は全部にミシン目を有し、ミシン目は蛇行あるいは屈曲する連続ミシン目であることを特徴とする農業用マルチフィルム。
【請求項５】
苗定植列状領域の樹脂素材をそれ以外の領域の樹脂素材に比べ、長手方向に裂け易い素材とすることを特徴とする請求項１、２、３又は４記載の農業用マルチフィルム。
【発明の詳細な説明】
【技術分野】
【０００１】
本発明は、農業用マルチフィルムに関し、詳しくは長手方向に裂けず、苗近くのミシン目から開口できる農業用マルチフィルムに関する。
【背景技術】
【０００２】
例えば、イチゴのハウス内マルチ栽培の現状を見ると、８−９月に低温処理して花芽分化させた苗を露地状態の畦に定植し、１１月頃の気温が下がる時期に苗が充分活着してからマルチフィルムを苗の上より被せ、苗真上部のフィルム部分を破り、苗をフィルム外へ引き出していた。
【０００３】
しかし、フィルムを切り開く作業が煩雑であり、その作業時間もかかり苗に葉焼けを生じるという問題があり、さらに開口には刃物を使うため下の苗を傷め易い問題がある。
【０００４】
このため特許文献１、２に記載のように、収穫後にフィルムを除去する際に便利なように苗列に合わせるようにフィルム長手方向に直線状のミシン目を加工したフィルムが提案されている。
【０００５】
しかし、苗をフィルム外に引き出す際に、ミシン目部分を引き裂くように開口するため、フィルムがミシン目に沿って長手方向に裂け易いという問題がある。
【特許文献１】実用新案登録第３０５８４３４号公報
【特許文献２】実開平２−１４９４４号公報
【発明の開示】
【発明が解決しようとする課題】
【０００６】
そこで、本発明は、長手方向に裂けない農業用マルチフィルムを提供することを課題とする。
【０００７】
また本発明の他の課題は、苗近くのミシン目から刃物を用いずに開口しても下の苗を傷めることがない農業用マルチフィルムを提供することにある。
【０００８】
更に、本発明の他の課題は、以下の記載によって明らかとなる。
【課題を解決するための手段】
【０００９】
上記課題は、以下の各発明によって解決される。
【００１０】
（請求項１）
長手方向に沿って所定幅の苗定植列状領域を有する長尺状のマルチフィルムにおいて、
該苗定植列状領域の一部又は全部にミシン目を有し、且つ該ミシン目は幅方向に向って延びており、且つ該フィルムの長手方向に不連続に複数本並設されていることを特徴とする農業用マルチフィルム。
【００１１】
（請求項２）
ミシン目の形状は、直線状、傾斜線、弧状、馬蹄状又は鳴門巻き状であることを特徴とする請求項１記載の農業用マルチフィルム。
【００１２】
（請求項３）
複数のミシン目の各々の端部が、長手方向に沿って直線状に配置されることを特徴とする請求項１又は２記載の農業用マルチフィルム。
【００１３】
（請求項４）
長手方向に沿って所定幅の苗定植列状領域を有する長尺状のマルチフィルムにおいて、
該苗定植列状領域の一部又は全部にミシン目を有し、ミシン目は蛇行あるいは屈曲する連続ミシン目であることを特徴とする農業用マルチフィルム。
【００１４】
（請求項５）
苗定植列状領域の樹脂素材をそれ以外の領域の樹脂素材に比べ、長手方向に裂け易い素材とすることを特徴とする請求項１、２、３又は４記載の農業用マルチフィルム。
【発明の効果】
【００１５】
本発明によれば、長手方向に裂けることなく、且つ苗近くのミシン目から刃物を用いずに開口しても下の苗を傷めることがない農業用マルチフィルムを提供することができる。
【発明を実施するための最良の形態】
【００１６】
以下、本発明の最良の実施形態について図面を用いて説明する。
【００１７】
本発明の農業用マルチフィルムは、各種栽培作物に適用可能であるが、以下の説明では、その代表例としてイチゴ栽培について説明する。
【００１８】
イチゴ栽培は、ハウス内においてマルチ栽培を行っている例が多く、栽培法としては、例えば図１に示すように３つのタイプが実施されている。図１において、Ｍはハウスフィルムであり、Ａは高畦のマルチ栽培例であり、Ｂは１条植のマルチ栽培例であり、Ｃは２条植のマルチ栽培例であり、また１は農業用マルチフィルムであり、２は定植された苗、３は畦である。
【００１９】
いずれの例でも、両側のフィルムは土で押さえず垂らしたままであり、隣のフィルム同士を重ねあわせたりすることもできる。
【００２０】
以下に、本発明の農業用マルチフィルムの好ましい態様を図２に基づいて説明する。
【００２１】
図２に示す例は、ハウス内でイチゴ栽培を高畦で行い、更に畦頂部に苗を１条（１列）に所定間隔で定植する場合の例である。
【００２２】
図２（Ａ）は本発明の農業用マルチフィルム例の使用状態を示す概略断面図であり、同図（Ｂ）は図２（Ａ）で使用している農業用マルチフィルム例の要部平面図である。
【００２３】
同図（Ａ）は、高畦３に農業用マルチフィルム１を被覆した状態で両側は土を被せることなく垂らしたままの状態にあり、２は定植されたイチゴ苗である。
【００２４】
同図（Ｂ）は、農業用マルチフィルム１を示しており、長手方向Ｙに長尺状に形成されたフィルムであり、該フィルム１は幅方向Ｘにおいて、ミシン目１１が形成された部位である苗定植列状領域１０を有している。
【００２５】
ここで、苗定植列状領域１０というのは、苗を定植する可能性のある領域であり、苗定植列状領域１０の幅は、畦の形状に対応して決められ、通常は、２０〜４０ｃｍであるが、必ずしも限定されない。
【００２６】
本発明におけるミシン目というのは、１個１個のミシン目が複数連続しているものをいい、連続しているという意味は、各ミシン目の間隔が３０ｍｍ以下の場合を意味する。
【００２７】
図示のミシン目１１は、幅方向Ｘに沿って直線状に形成されている。ミシン目１１は、フィルム１の長手方向Ｙに複数形成されており、不連続に並設されている。ここで「不連続」というのは並設されたミシン目によって長手方向Ｙに裂けるような、特にフィルム開口作業時に裂けるような連続性がないという意味である。
【００２８】
苗定植列状領域１０に形成するミシン目１１の幅方向Ｘの長さは、５０〜３００ｍｍの範囲が好ましい。
【００２９】
５０ｍｍ未満では、小さく開口作業が手間取り、また苗列状位置とミシン目１１とを重ね合わせるのが難しく、開口位置が苗の上からずれてしまう。また３００ｍｍを越えると、開口面積が大きく、マルチ効果が低下し、雑草も発生しやすくなる。
【００３０】
長手方向Ｙにおけるミシン目１１とそれに隣接するミシン目１１は互いに平行に形成されることが好ましく、そのミシン目１１とこれに隣接するミシン目の間隔Ｐは５ｍｍ〜１００ｍｍの範囲が好ましく、より好ましくは１０〜５０ｍｍの範囲である。５ｍｍより間隔が狭いと長手方向Ｙに裂ける可能性があるので好ましくなく、１００ｍｍを超えると後述するノッチ効果が働かず好ましくない。
【００３１】
例えばイチゴのマルチ栽培をする際に、本発明のマルチフィルム１を使用する例を説明すると、８〜９月に低温処理して花芽分化させたイチゴ苗を露地状態の畦に定植し、１１月頃に気温が下がった時に苗が充分活着してからマルチフィルムを苗の上より被せる。
【００３２】
そして次に、図３に示すように、苗真上部のミシン目１１を幅方向Ｘに開口して、苗２をフィルム外へ引き出す。苗間隔は通常２５ｃｍから３０ｃｍの範囲であり、前述のようにミシン目の間隔は５〜１００ｍｍの範囲であり、幅方向Ｘの長さは、５〜２００ｍｍの範囲であるため、苗の位置近傍のミシン目１１を容易に探しだすことができ、刃物を用いずに開口できる。
【００３３】
また本発明では、図５に示すように、複数のミシン目１１、１１、１１・・・・・・の一方の端部１１０、１１０、１１０・・・・・・が、長手方向Ｙに沿って直線状に配置されることが好ましい。同様に、複数のミシン目１１、１１、１１・・・・・・の他方の端部１１１、１１１、１１１・・・・・・が、長手方向Ｙに沿って直線状に配置されることが好ましい。
【００３４】
このように配置すると、図４に示すように、栽培後にフィルムを長手方向Ｙに切り裂いて除去する際に、当該端部１１０がノッチ効果を発揮し、長手方向Ｙに引き裂き易い。即ち、図５において、一番左側の端部１１０、１１１がそれぞれノッチ効果を発揮し、Ｙ方向に引き裂くことができ、さらにその隣の端部１１０、１１１が次にノッチ効果を発揮し、順にＹ方向に引き裂くことができる。
【００３５】
ここでノッチ効果というのは、隣接する端部１１０と１１０を結ぶ線に定規を当てて押さえたのと同様に、刃物なしにその線で切り易くなることである。
【００３６】
ミシン目１１を形成する方法は、特に限定されないが、レーザー加工が好ましい。
【００３７】
（他の態様）
次に、本発明の他の好ましい態様としては、ミシン目１１の形状を変形する態様である。即ち、ミシン目１１の形状は、図１に示すような直線状以外に、図６に示すような傾斜線にすることも好ましい。傾斜線にすると、図５で説明したノッチ効果をより効果的に生じさせることができて好ましい。
【００３８】
またミシン目１１の形状は、図７に示すような弧状に形成されると直線に比べ裂けにくく、不必要な部分まで破れないので好ましい。また図８に示すように馬蹄状(一部切り欠きを有する円形又は楕円形などを含む）に形成されると弧状に比べ大きい苗を植えられるので好ましい。更に図９に示すように鳴門巻き状に形成すると、作物の成長に応じて広げることが出来て好ましい。
【００３９】
次に、本発明の他の好ましい態様としては、図１０に示すように苗の列状を２列にすることが挙げられる。この場合、苗定植列状領域１０は二つ形成される。なお、列数は２列以上であってもよい。
【００４０】
次に、本発明の他の好ましい態様としては、蛇行あるいは屈曲する連続ミシン目を苗定植列状領域１０に形成する態様が挙げられる。図１１にはノコ刃状ミシン目が示されており、図１２には波型のミシン目が示されている。
【００４１】
図１１のノコ刃の幅Ｌ及び図１２の波型の幅Ｌはいずれも、２〜２００ｍｍの範囲が好ましい。２ｍｍ未満では、タテ裂けしやすい欠点があり、２００ｍｍを越えると、開口面積が大きく、マルチ効果が低下し、雑草も発生しやすくなる。
【００４２】
なお、連続ミシン目というのは、各目の間隔が２ｍｍ以下で連なっていることを意味し、例えばノコ刃の頂角部において３ｍｍ以上離れると連続性は失われると考えている。
【００４３】
蛇行あるいは屈曲する連続ミシン目を形成した効果は、レーザーによりミシン目を形成した場合に現れる。即ち、図１３に示すように、フィルム１にミシン目穴１５を形成すると、その穴の両端に凸部１６が形成される。従って、このフィルムに従来のような長手方向に平行な直線状にミシン目を形成すると、そのミシン目付フィルムを巻き取ろうとしたときに、凸部１６が巻きコブになって、輸送中にフィルムが破けるなどの問題を引き起こす。このため本発明のように蛇行あるいは屈曲する連続ミシン目にすると、凸部１６が重なることはなく、巻きコブが発生することもない。
【００４４】
さらに、このような巻きコブの問題は、インフレ成形において２枚重ねの状態でミシン目を形成する場合にも顕著に現れるので、インフレ成形において２枚重ねの状態でミシン目を形成する場合に蛇行あるいは屈曲する連続ミシン目を形成することは巻きコブの発生を防止できて好ましい。
【００４５】
次に、本発明の他の好ましい態様としては、図２に示す苗定植列状領域１０の樹脂素材をそれ以外の領域（以下、他領域という）の樹脂素材に比べ、長手方向Ｙに裂け易い素材とすることである。
【００４６】
好ましい組み合わせとしては、以下の態様が挙げられる（主素材について言及）。
【００４７】
（１）他領域にメタロセン触媒型直鎖低密度ポリエチレン（ＬＬＤＰＥ：直鎖の炭素数が２〜６の範囲）を用い、苗定植列状領域１０にユニポール触媒型直鎖低密度ポリエチレン（ＬＬＤＰＥ：直鎖の炭素数が２〜４の範囲）を用いる態様。
【００４８】
（２）他領域にユニポール触媒型直鎖低密度ポリエチレン（ＬＬＤＰＥ：直鎖の炭素数が２〜４の範囲）を用い、苗定植列状領域１０にユニポール触媒型直鎖低密度ポリエチレン（ＬＬＤＰＥ：直鎖の炭素数が２〜４の範囲）に低密度ポリエチレン（ＬＤＰＥ）を２０〜３０％配合した素材を用いる態様。
【００４９】
（３）他領域にユニポール触媒型直鎖低密度ポリエチレン（ＬＬＤＰＥ：比重０．９２０）を用い、苗定植列状領域１０にユニポール触媒型直鎖低密度ポリエチレン（ＬＬＤＰＥ：比重０．９２８）を用いる態様。
【００５０】
（４）他領域に直鎖低密度ポリエチレン（ＬＬＤＰＥ）を用い、苗定植列状領域１０に低密度ポリエチレン（ＬＤＰＥ）を用いる態様。
【００５１】
上記以外にも、苗定植列状領域１０におけるＬＬ（リニアローデン）部分を弱くするあらゆる方法を採用することができる。例えば苗定植列状領域１０について、ＬＤＰＥやＨＤＰＥをかなり多目にブレンドする方法、比重の高いグレードを選定する方法、コモノマーの選定（強度的にはコモノマーはＣ４＜Ｃ６＜Ｃ８の順に強い）、重合法による強度差を利用する方法などが挙げられる。
【００５２】
またフィルムには各種着色剤（黒、緑、白などの着色顔料）や各種安定剤などを添加してもよい。
【００５３】
更に単層は勿論、多層フィルム（白層と黒層からなる２層フィルムなど）やフィルム幅方向に色違いがある配色フィルム（例えば幅方向に緑、黒、緑）でも構わない。
【００５４】
なお、本発明はイチゴ促成栽培を代表例として説明した。即ち、はじめに苗を定植し、その後、苗が活着してからマルチフィルムを苗上に被せ、フィルムに加工したミシン目を破り、苗をフィルム上に引き出すようにした。しかし、本発明のマルチフィルムは、これとは逆に、ミシン目付きマルチフィルムを先に展張し、その後、ミシン目よりフィルムに開口を形成し、その開口に苗や種子を定植・播種する一般作物栽培にも当然使用可能である。
【実施例】
【００５５】
以下、実施例により本発明の効果を例証する。
【００５６】
＜ハウス仕様＞
ハウスの大きさ：間口４．５ｍ、棟高２．５ｍ、長さ２０ｍ
棟数：２棟（Ａ棟：実施例用、Ｂ棟：比較例用）
ハウスフィルム：みかど化工社製「農ＰＯフィルム」
商品名「スーパーソーラー」
（「農ＰＯフィルム」、「スーパーソーラー」はいずれも登録商標）
【００５７】
＜畦仕様＞
幅：  ６０ｃｍ
高さ：１０ｃｍ
長さ：１８ｍ
列数：４列／１ハウス当り
【００５８】
＜栽培＞
栽培条件：肥料、薬散、潅水、加温等は通常のイチゴ栽培条件に従った。
イチゴ品種：とちおとめ
定植：２条植、株間２０ｃｍ
本数：１畦当り１８０株（７２０株／１ハウス）
【００５９】
＜マルチフィルム＞
実施例マルチフィルム
ベースフィルム：みかど化工社製黒フィルム  ９２ｃｍ幅
（商品名：ＫＯマルチ）
ミシン目：フィルム中央部
（ミシン目間隔２５ｍｍ、Ｘ方向幅：１００ｍｍ）
ミシン目形成方法：
ＣＯ２ガスレーザー装置を用い、出力３０Ｗで行なった。
比較マルチフィルム
実施例マルチフィルムのベースフィルム（原反）のまま使用。
【００６０】
（栽培試験方法）
みかど化工（株）の試験圃場（千葉県市原市）に、図１に示すハウス２棟を用意し、その各々のハウス内に畦３列を作った。
【００６１】
各畦に、イチゴ苗を、９月５日に定植し、その後、９月１５日にハウスＡ棟の４列畦には、実施例マルチフィルムを、ハウスＢ棟の３列畦には比較マルチフィルムを被覆し、それぞれ苗茎葉をマルチ上に引き出した。
【００６２】
その後、通常の栽培管理を行い、翌年５月３日にマルチフィルムを除去し、栽培を終了した。
【００６３】
（試験結果）
（１）茎葉引出し作業
実施例マルチフィルムは、刃物を使わずに、開口でき、大変スムーズに作業できた。時間的には比較マルチフィルムに比べ、約７０％の時間短縮が達成できた。
（２）茎葉の傷み具合
実施例マルチフィルムは刃物を使わないので、ほとんど傷みはなかった。一方、比較マルチフィルムは刃物を使うので、約６０％以上の苗の葉に切り傷が生じてしまった。  
（３）フィルム除去作業
実施例マルチフィルムでは株をそのままにした状態で、フィルムを畦端より引き上げると、ミシン目より長手方向に破れ、大変簡単であった。一方、比較マルチフィルムは株を除去せねばならず実施例マルチフィルムに比べ大変手間を要した。
【図面の簡単な説明】
【００６４】
【図１】ハウス内におけるイチゴマルチ栽培例を示す側面図
【図２】（Ａ）は本発明の農業用マルチフィルム例の使用状態を示す概略断面図であり、（Ｂ）は（Ａ）で使用している農業用マルチフィルム例の要部平面図
【図３】イチゴのマルチ栽培例を示す斜視図
【図４】イチゴのマルチ栽培例を示す斜視図
【図５】ノッチ効果を説明する図
【図６】本発明のマルチフィルムの他の態様を示す図
【図７】本発明のマルチフィルムの他の態様を示す図
【図８】本発明のマルチフィルムの他の態様を示す図
【図９】本発明のマルチフィルムの他の態様を示す図
【図１０】（Ａ）は本発明の農業用マルチフィルム例の使用状態を示す概略断面図であり、（Ｂ）は（Ａ）で使用している農業用マルチフィルム例の要部平面図
【図１１】本発明のマルチフィルムの他の態様を示す図
【図１２】本発明のマルチフィルムの他の態様を示す図
【図１３】巻きコブの説明をするための説明図
【符号の説明】
【００６５】
１：農業用マルチフィルム
２：定植された苗
３：畦
１０：苗定植列状領域
１１：ミシン目
１１０：ミシン目の端部
１１１：ミシン目の端部
１５：ミシン目穴
１６：凸部
Ｍ：ハウスフィルム
Ａ：高畦のマルチ栽培例
Ｂ：１条植のマルチ栽培例
Ｃ：２条植のマルチ栽培例
【図１】
2006094784.tif 000003
【図２】
2006094784.tif 000004
【図３】
2006094784.tif 000005
【図４】
2006094784.tif 000006
【図５】
2006094784.tif 000007
【図６】
2006094784.tif 000008
【図７】
2006094784.tif 000009
【図８】
2006094784.tif 000010
【図９】
2006094784.tif 000011
【図１０】
2006094784.tif 000012
【図１１】
2006094784.tif 000013
【図１２】
2006094784.tif 000014
【図１３】
2006094784.tif 000015